(57)【要約】【課題】使用勝手を損なうといった不具合を生じさせることなく、部品点数の少数化ならびに構造の合理化を図り、製造コストを従来よりも低減することが可能なスライド式カップホルダを提供する。【解決手段】スライド式カップホルダＨのドア部３は、スライド体２とは別体に形成されて、回転可能に支持され、かつ弾発力付与手段６から弾発力を受けて一方向に回転するように付勢されており、カップ受け部４にカップＣが載せられたときには、ドア部３の一部が弾発力をもってカップの側面に当接可能であるとともに、スライド体２が収容部１０に収容されたときには、収容部１０の前面開口部１０ａの周縁の固定部位１２に対して、ドア部３の一部が弾発力をもって当接する。【選択図】  図１
2013212744.tif 000002
【特許請求の範囲】
【請求項１】
前面開口部を有する収容部にスライド収容させることが可能なスライド体と、
このスライド体に設けられ、かつこのスライド体を前記収容部に収容させたときに前記収容部の前面開口部を塞ぐドア部と、
前記スライド体のうち、前記ドア部よりも奥部側の配置に設けられたカップ受け部と、
前記スライド体を前記収容部に収容させたときには、前記スライド体が前記収容部の手前側に退出することを規制する退出規制状態となり、かつこの退出規制状態において前記スライド体が奥部側に押されたときには、前記スライド体が手前側に退出すことを許容するスライド体用の移動規制手段と、
を備えている、スライド式カップホルダであって、
前記ドア部は、前記スライド体とは別体に形成されて、回転可能に支持され、かつ弾発力付与手段から弾発力を受けて一方向に回転するように付勢されており、
前記カップ受け部にカップが載せられたときには、前記ドア部の一部が弾発力をもって前記カップの側面に当接可能であるとともに、前記スライド体が前記収容部に収容されたときには、前記収容部の前面開口部の周縁の固定部位に対して、前記ドア部の一部が弾発力をもって当接するように構成されていることを特徴とする、スライド式カップホルダ。
【発明の詳細な説明】
【技術分野】
【０００１】
本発明は、たとえば乗用車の車内などに取り付けられ、カップ（飲料容器）を保持するのに用いられるスライド式カップホルダに関する。
【背景技術】
【０００２】
スライド式カップホルダは、前面が開口した所定の収容部にスライド収容可能とされたスライド体を備えており、このスライド体に、カップ受け部や、ドア部が設けられた構成とされている場合が多い。ドア部は、スライド体を収容部に収容させた際に、収容部の前面開口部を塞ぐための部分である。このようなカップホルダでは、カップ受け部を用いたカップの支持状態を安定させることが望まれる。そこで、従来では、カップ受け部上にカップが載せられた際にこのカップの水平方向の位置ずれを防止するためのカップ押さえ部材を設ける手段も適宜採用されている（たとえば、特許文献１を参照）。
また、スライド式カップホルダは、その操作性が良好であることも要請される。そこで、従来においては、いわゆるプッシュ方式のものがある。このプッシュ方式では、スライド体が収容部に収容されている状態において、ドア部を押すと、バネを利用した所定の機構の動作に基づき、スライド体が収容部の手前側に適当量だけ突出するように構成されている。スライド体がこのように突出すると、スライド体の引き出し操作が容易となる。
【０００３】
しかしながら、従来においては、次に述べるように、未だ改善の余地があった。
すなわち、スライド式カップホルダの使い勝手を良好にすべく、前記したカップ押さえ部材を設け、さらには前記したプッシュ方式を採用した場合、スライド式カップホルダ全体の部品点数が多くなり、全体構造も複雑化する。その結果、全体の製造コストが高くなる不具合を生じる。
【先行技術文献】
【特許文献】
【０００４】
【特許文献１】特開平０８−１９２６６９号公報
【発明の概要】
【発明が解決しようとする課題】
【０００５】
本発明は、前記したような事情のもとで考え出されたものであり、使用勝手を損なうといった不具合を生じさせることなく、部品点数の少数化ならびに構造の合理化を図り、製造コストを従来よりも低減することが可能なスライド式カップホルダを提供することを、その課題としている。
【課題を解決するための手段】
【０００６】
上記の課題を解決するため、本発明では、次の技術的手段を講じている。
【０００７】
本発明により提供されるスライド式カップホルダは、前面開口部を有する収容部にスライド収容させることが可能なスライド体と、このスライド体に設けられ、かつこのスライド体を前記収容部に収容させたときに前記収容部の前面開口部を塞ぐドア部と、前記スライド体のうち、前記ドア部よりも奥部側の配置に設けられたカップ受け部と、前記スライド体を前記収容部に収容させたときには、前記スライド体が前記収容部の手前側に退出することを規制する退出規制状態となり、かつこの退出規制状態において前記スライド体が奥部側に押されたときには、前記スライド体が手前側に退出すことを許容するスライド体用の移動規制手段と、を備えている、スライド式カップホルダであって、前記ドア部は、前記スライド体とは別体に形成されて、回転可能に支持され、かつ弾発力付与手段から弾
発力を受けて一方向に回転するように付勢されており、前記カップ受け部にカップが載せられたときには、前記ドア部の一部が弾発力をもって前記カップの側面に当接可能であるとともに、前記スライド体が前記収容部に収容されたときには、前記収容部の前面開口部の周縁の固定部位に対して、前記ドア部の一部が弾発力をもって当接するように構成されていることを特徴としている。
【０００８】
このような構成によれば、次のような効果が得られる。
まず、ドア部は、カップ受け部上にカップが載せられた際には、カップの側面に弾発力をもって当接し、その位置決めを図るためのカップ押さえ部材としての役割を果たす。加えて、ドア部に付与されている弾発力は、収容部に収容された状態にあるスライド体を収容部の手前側に退出させるための付勢力として働かせることもできる。すなわち、スライド体が収容部に収容されている際に、ドア部の一部が所定の固定部位に対して弾発力をもって当接すると、その反作用として、スライド体を収容部の手前側に退出させようとする力を発生させることができる。したがって、スライド体用の移動規制手段によってスライド体が収容部の手前側に退出することが規制されている状態を解除すると、前記した反作用の力を利用して、スライド体を収容部の手前側に積極的に退出させることが可能となる。このようなことから、本発明によれば、スライド式カップホルダの使い勝手が大きく損なわれるといった不具合はない。
一方、ドア部が前記したような機能を発揮する結果、ドア部とは別個に、カップ押さえ部材を設ける必要はない。また、スライド体を収容部の手前側に退出させるための弾力力を付与するための手段についても、別途設ける必要はない。したがって、部品点数の削減、ならびに構造の簡素化を図り、スライド式カップホルダの製造コストを従来よりも低減することが可能である。
【０００９】
本発明のその他の特徴および利点は、添付図面を参照して以下に行なう発明の実施の形態の説明から、より明らかになるであろう。
【図面の簡単な説明】
【００１０】
【図１】（ａ）は、本発明に係るスライド式カップホルダの一例を示す概略側面断面図であり、（ｂ）は、スライド体を手前側に引き出してカップを保持させる状態の概略平面断面図であり、（ｃ）は、（ｂ）の概略側面断面図である。
【図２】図１に示すスライド式カップホルダに用いられているカム機構を示す平面断面図である。
【発明を実施するための形態】
【００１１】
以下、本発明の好ましい実施の形態について、図面を参照して具体的に説明する。
【００１２】
図１に示すスライド式カップホルダＨは、前面開口部１０ａを形成しているケース１、ドア部３ならびにカップ受け部４が取り付けられたスライド体２、およびカム機構５を具備している。また、後述するように、ドア部３を回転付勢させるためのバネ６（本発明でいう弾発力付与手段の一例）も具備している。ケース１、ドア部３、カップ受け部４、およびスライド体２は、いずれも樹脂製である。
【００１３】
ケース１は、前面開口部１０ａが形成された略直方体状であり、このケース１の内部は、スライド体２を収容させるための収容部１０（本発明でいう収容部の一例）に相当する。図面では、スライド体２がケース１内において上下高さ方向において支持されていない状態に示されているが、実際には、ケース１にはスライド体２をスライド可能に支持する支持部が設けられている。このことにより、スライド体２は、図１（ｂ），（ｃ）に示すように、収容部１０の手前側に引き出された状態と、同図（ａ）に示すように、収容部１０に収容された状態とに設定可能である。このスライド体２の前部には、左右幅方向（同
図（ｂ）の上下方向）に間隔を隔てた一対の側壁部２０が設けられている。これら一対の側壁部２０の相互間の位置に、カップ受け部４が設けられ、かつカップＣが配置される。
【００１４】
カップ受け部４は、軸部４８を介してスライド体２の側壁部２０に回転可能に取り付けられており、ドア部３よりも奥部側に位置している。図１（ｃ）に示すように、カップ受け部４は、カップＣの底部支持用および側面支持用の支持部４０，４１を有している。図１（ｃ）に示す状態からスライド体２を奥部側に押すと、カップ受け部４がケース１の前部に当接して回転し、水平姿勢に近づく。このことにより、カップ受け部４を収容部１０に配置させることができる。なお、図１（ａ）の状態からスライド体２を手前側に引き出した際には、カップ受け部４は自重により回転し、図１（ｃ）に示す姿勢となる。
【００１５】
ドア部３は、スライド体２の一対の側壁部２０に軸部２８を介して回転可能に設けられている。このドア部３は、収容部１０の前面開口部１０ａを塞ぐことが可能な形状およびサイズに形成されているが、このドア部３の下部３０は奥部側に突出した形態とされている。このドア部３は、バネ６の弾発力によって、矢印Ｎａで示す方向、すなわち下部３０が奥部側に変位する回転方向に弾発付勢されている。バネ６は、たとえば金属製の捩じりコイルバネであり、その一端が側壁部２０に止着または当接し、かつ他端がドア部３に止着または当接していることによりドア部３に回転力を付与する。
【００１６】
ドア部３は、バネ６によって前記したように弾発付勢されているために、図１（ｃ）に示すように、カップ受け部４上に載置されたカップＣの側面に対し、ドア部３の下部３０が弾発力をもって当接可能である。一方、ケース１の前部には、スライド体２を収容部１０に収容させた際にドア部３の下部３０が当接するフランジ部１２（本発明でいう前面開口部の周縁の固定部位の一例に相当）が設けられている。
【００１７】
カム機構５は、スライド体２の移動規制を図るための機構であり、たとえばハート型カム溝５０ａが形成されたカム５０と（図２も参照）、スライド体２に取り付けられたピン状のカムフォロア５１とを組み合わせたものである。このカム機構５では、スライド体２が収容部１０から引き出された状態から収容部１０に押し込まれると、カムフォロア５１は、図２の矢印Ｎ１〜Ｎ５の経路で進行し、カム溝５０ａの凹部５０a'に係入させることができる。この係入作用により、カムフォロア５１、ひいてはスライド体２が手前側へ移動することは阻止された状態となる。この状態において、スライド体２が奥部側に押されると、カムフォロア５１は、矢印Ｎ６〜Ｎ８の経路で進行し、スライド体２を手前側へ移動させることが可能となる。
【００１８】
次に、前記したスライド式カップホルダＨの作用について説明する。
【００１９】
まず、カップ受け部４の支持部４０上にカップＣを載せた場合には、既述したように、バネ６の弾発力を利用してドア部３の下部３０をカップＣの側面に当接させることができる。このことにより、カップＣの側面が、ドア部３の下部３０とカップ受け部４の支持部４１とによって適度な弾発力で挟まれることとなり、カップＣを安定させた状態で保持することが可能となる。
【００２０】
次いで、スライド体２を収容部１０に収容させた際には、ドア部３の下部３０がケース１のフランジ部１２にバネ６の弾発力をもって当接するために、その反作用として、スライド体２を手前側に付勢させる力を生じさせることができる。スライド体２が収容部１０に収容されている際には、カムフォロア５１は、図２で示したカム溝５０ａの凹部５０a'に係入した状態にあるが、前記した反作用の力は、カムフォロア５１が凹部５０a'に係入した状態を維持させる力として役立つ。このような状態において、ドア部３の上部側を押して、前記したバネ力に抗してスライド体２を奥部側に押し込み、カムフォロア５１を凹
部５０a'から脱出させると、スライド体２は、前記した反作用の力によって手前側に退出する。したがって、スライド体２を適切に引き出すことが可能となる。前記のバネ力が比較的弱い場合には、スライド体２の前記の退出距離は短いものの、ドア部３が前面開口部１０ａよりも手前側に移動すれば、この部分に指を掛けるなどして、スライド体２を引き出す操作を簡単に行なうことが可能である。
【００２１】
このように、本実施形態では、バネ６によって弾発付勢されたドア部３は、カップＣを押さえるための部材としての役割を果たすとともに、収容部１０に収容された状態のスライド体２をプッシュ方式によって手前側に退出させるための機構としての役割も果たす。したがって、その構成は合理的であって、スライド式カップホルダＨの部品点数を少なくして製造コストの低減化を図りつつ、使い勝手を良好なものとすることができる。
【００２２】
本発明は、上述した実施形態の内容に限定されない。本発明に係るスライド式カップホルダの各部の具体的な構成は、本発明の意図する範囲内において種々に設計変更自在である。
【００２３】
本発明でいう「収容部」は、必ずしも単体品として形成された樹脂製ケースを用いて構成されていなくてもよく、たとえばスライド体をスライド可能に支持する複数の部材を組み合わせて構成してもよい。また、収容部の前面開口部は、たとえば車両の内装パネルを利用して形成されていてもよい。したがって、本発明の「収容部の前面開口部の周縁の固定部位」（ドア部の一部が当接する箇所）は、内装パネルの一部であってもよい。
【００２４】
上述の実施形態では、ドア部の下部を突出した状態としてカップの側面に当接させているが、下部を突出状態とすることなくカップの側面に当接させることも可能である。また、余り実用的ではないが、ドア部の下部に代えて、ドア部の中間寄りの部分、あるいは上部をカップの側面に当接させる構成も可能である。ドア部を付勢するための弾発力付与手段としては、捩じりコイルバネ以外のバネ、あるいはその他の弾性部材を用いることが可能である。スライド体用の移動規制手段としては、ハート型カム溝とは異なる構成のカム機構、あるいはカム機構以外の機構を用いることもできる。
【符号の説明】
【００２５】
Ｈ  スライド式カップホルダ
Ｃ  カップ
１  ケース
２  スライド体
３  ドア部
４  カップ受け部
５  カム機構（スライド体用の移動規制手段）
６  バネ（弾発力付与手段）
１０  収容部
１０ａ  前面開口部
１２  フランジ部（固定部位）
３０  ドア部の下部（ドア部の一部）
【図１】
2013212744.tif 000003
【図２】
2013212744.tif 000004